(57)【要約】第３世代携帯電話技術とＩＥＥＥ８０２．１１ワイドバンドローカルエリアネットワーク（ＷＬＡＮ）技術によりインターネットアクセスをサポートするデバイスに対して、どの無線アクセス技術が利用可能であるかにかかわらず、ユビキタスなカバレジと、シームレスな接続性とを提供する方法およびシステム。
2006502670.tif 000002
【特許請求の範囲】
【請求項１】
シームレスなネットワーク接続を容易にするためのワイヤレスシステムにおいて、
（ａ）統合端末であって、
（ｉ）第１のアクセスポイント（ＡＰ）と、
（ｉｉ）第１のインタフェース経由で前記ＡＰに連結したワイヤレス送受信ユニット（ＷＴＲＵ）と
を含む統合端末と、
（ｂ）第２のインタフェース経由で前記統合端末に連結したユニバーサル地上無線アクセスネットワーク（ＵＴＲＡＮ）と、
（ｃ）第３のインタフェース経由で前記統合端末に連結した少なくとも１つのワイヤレスローカルエリアネットワーク（ＷＬＡＮ）アクセスデバイスと
を備えたことを特徴とするワイヤレスシステム。
【請求項２】
前記ＵＴＲＡＮが、前記第３のインタフェース経由で外部ネットワークへのアクセスを前記統合端末に与えることを特徴とする請求項１に記載のシステム。
【請求項３】
（ｄ）第４のインタフェース経由で前記ＷＬＡＮアクセスデバイスに連結した第２のＡＰ
をさらに備え、前記ＷＬＡＮアクセスデバイスが前記第３および第４のインタフェース経由で前記外部ネットワークへのアクセスを前記統合端末に与えることを特徴とする請求項２に記載のシステム。
【請求項４】
前記第２、第３および第４のインタフェースのそれぞれがワイヤレスインタフェースであることを特徴とする請求項３に記載のシステム。
【請求項５】
前記外部ネットワークがインターネットであることを特徴とする請求項２に記載のシステム。
【請求項６】
前記ＷＴＲＵおよび前記ＵＴＲＡＮが、前記外部ネットワークへの第３世代（３Ｇ）コネクションを手動または自動で確立することを特徴とする請求項１に記載のシステム。
【請求項７】
前記ＷＬＡＮアクセスデバイスが、標準ＩＥＥＥ８０２．１１のアクティブまたはパッシブスキャン方法によって前記統合端末を認識することを特徴とする請求項６に記載のシステム。
【請求項８】
前記３Ｇコネクションが、事前設定の無活動タイマのタイムアウト後に解放されることを特徴とする請求項６に記載のシステム。
【請求項９】
前記３Ｇコネクションが、異なる無線アクセス技術を使用するサービスプロバイダ間で、一貫してサービスを提供するため、または高速なハンドオーバを容易にするために、永続的に確立されることを特徴とする請求項６に記載のシステム。
【請求項１０】
前記第２および第３のインタフェースのそれぞれが、異なる無線アクセス技術に関連づけられ、互いに論理的に独立であることを特徴とする請求項１に記載のシステム。
【請求項１１】
前記統合端末がＩＥＥＥ８０２．１１仕様に従って動作することを特徴とする請求項１に記載のシステム。
【請求項１２】
前記ＷＬＡＮアクセスデバイスがＩＥＥＥ８０２．１１仕様に従って動作することを特徴とする請求項１に記載のシステム。
【請求項１３】
前記第２のアクセスポイントがＩＥＥＥ８０２．１１仕様に従って動作することを特徴とする請求項１に記載のシステム。
【請求項１４】
前記ＵＴＲＡＮが第３世代（３Ｇ）仕様に従って動作することを特徴とする請求項１に記載のシステム。
【請求項１５】
前記ＷＴＲＵが第３世代（３Ｇ）仕様に従って動作することを特徴とする請求項１に記載のシステム。
【請求項１６】
前記ＷＬＡＮアクセスデバイスがラップトップコンピュータであることを特徴とする請求項１に記載のシステム。
【請求項１７】
前記ＷＬＡＮアクセスデバイスが携帯情報端末（ＰＤＡ）であることを特徴とする請求項１に記載のシステム。
【請求項１８】
前記統合端末が、複数の独立のアクセスデバイスおよび／または前記統合端末内のインターネットプロトコル（ＩＰ）アプリケーションが同時にサポートされることを可能にするための、前記第１のＡＰに連結したＩＰアプリケーションプロセッサをさらに備えたことを特徴とする請求項１に記載のシステム。
【請求項１９】
シームレスなインターネット接続を容易にするためのワイヤレスシステムにおいて、
（ａ）統合端末であって、
（ｉ）第１のタイプの無線アクセス技術を使用するアクセスポイント（ＡＰ）と、
（ｉｉ）第２のタイプの無線アクセス技術を使用するワイヤレス送受信ユニット（ＷＴＲＵ）と
を含む統合端末と、
（ｂ）第１のワイヤレスインタフェース経由で前記統合端末に連結した第１のワイヤレスルーティングデバイスであって、前記第１のタイプの無線アクセス技術を用いて前記第１のワイヤレスインタフェース経由でインターネットへのアクセスを前記統合端末に与える、第１のワイヤレスルーティングデバイスと、
（ｃ）第２のワイヤレスインタフェース経由で前記統合端末に連結した少なくとも１つの第２のワイヤレスルーティングデバイスであって、前記第２のタイプの無線アクセス技術を用いて前記第２のワイヤレスインタフェース経由でインターネットへのアクセスを前記統合端末に提供し、前記第１および第２のワイヤレスインタフェースが互いに論理的に独立である、少なくとも１つの第２のワイヤレスルーティングデバイスと
を備えたことを特徴とするワイヤレスシステム。
【請求項２０】
前記第１のタイプの無線アクセス技術が第３世代（３Ｇ）仕様に従って動作することを特徴とする請求項１９に記載のシステム。
【請求項２１】
前記第２のタイプの無線アクセス技術がＩＥＥＥ８０２．１１仕様に従って動作することを特徴とする請求項１９に記載のシステム。
【請求項２２】
前記第１のワイヤレスルーティングデバイスがユニバーサル地上無線アクセスネットワーク（ＵＴＲＡＮ）であることを特徴とする請求項１９に記載のシステム。
【請求項２３】
前記ＷＴＲＵおよび前記ＵＴＲＡＮが、インターネットへの第３世代（３Ｇ）コネクションを手動または自動で確立することを特徴とする請求項２２に記載のシステム。
【請求項２４】
前記３Ｇコネクションが、事前設定された無活動タイマのタイムアウト後に解放されることを特徴とする請求項２３に記載のシステム。
【請求項２５】
前記３Ｇコネクションが、異なる無線アクセス技術を使用するサービスプロバイダ間で、一貫してサービスを提供するため、または高速なハンドオーバを容易にするために、永続的に確立されることを特徴とする請求項２３に記載のシステム。
【請求項２６】
前記第２のワイヤレスルーティングデバイスがワイヤレスローカルエリアネットワーク（ＷＬＡＮ）アクセスデバイスであることを特徴とする請求項１９に記載のシステム。
【請求項２７】
前記ＷＬＡＮアクセスデバイスが、標準のＩＥＥＥ８０２．１１のアクティブまたはパッシブスキャン方法によって前記統合端末を認識することを特徴とする請求項２６に記載のシステム。
【請求項２８】
前記ＷＬＡＮアクセスデバイスがラップトップコンピュータであることを特徴とする請求項２６に記載のシステム。
【請求項２９】
前記ＷＬＡＮアクセスデバイスが携帯情報端末（ＰＤＡ）であることを特徴とする請求項２６に記載のシステム。
【請求項３０】
前記統合端末が、複数の独立のアクセスデバイスおよび／または前記統合端末内のＩＰアプリケーションが同時にサポートされることを可能にするための、前記ＡＰに連結したインターネットプロトコル（ＩＰ）アプリケーションプロセッサをさらに備えたことを特徴とする請求項１９に記載のシステム。
【発明の詳細な説明】
【技術分野】
【０００１】
本発明はワイヤレス（無線）通信の分野に関し、より詳細には、本発明は、ワイヤレスローカルエリアネットワーク（ＷＬＡＮ）と携帯電話ネットワークの統合に関する。
【背景技術】
【０００２】
現在、デュアルモード（dual mode）デバイスは、多種多様な無線アクセス技術を通じてインターネットアクセスをサポートすると考えられている。その目標は、どの無線アクセス技術が利用可能であるかにかかわらず、ユビキタスなカバレジ（至るところに広がった受信可能サービスエリア）と、シームレスな接続性（継ぎ目を感じさせないスムーズなサービスの接続性）とを提供することである。
【０００３】
図１は、デュアルモード移動端末１０５を含む従来のデュアルモード移動端末システム１００を示している。「デュアルモード」の指す２つのモードとは、ＩＥＥＥ８０２．１１に準拠したネットワークと、１つまたは複数の第３世代（３Ｇ）標準に準拠したネットワークである。デュアルモード移動端末１０５は、（１）ＩＥＥＥ８０２．１１エアインタフェースを通じてＩＥＥＥ８０２．１１アクセスポイント／ルータ機器１１５経由で、または（２）３Ｇエアインタフェースを通じて３Ｇユニバーサル地上無線アクセスネットワーク（ＵＴＲＡＮ）基地局１２０経由で、インターネット１１０と通信する。
【発明の開示】
【発明が解決しようとする課題】
【０００４】
このような従来のシステム１００に関連する１つの問題点として、アーキテクチャの違いから、ＩＥＥＥ８０２．１１と３Ｇの無線ネットワーク間で物理的ハンドオーバプロセス（移動しながら携帯電話を使用する際に、通信の基地局を切り替えて通信を継続させる処理）を管理する共通の制御エンティティ（実体）が存在しないことがある。このため、各ネットワークのハンドオーバ制御機能間の複雑な連係が生じる。例えば、ＩＥＥＥ８０２．１１ネットワークから３Ｇネットワークへ無線コネクションを転送するために必要な連携およびロジックは、３ＧネットワークからＩＥＥＥ８０２．１１ネットワークへ無線コネクションを転送するために必要なものとは大きく異なる。なお、この意味でのハンドオーバは、セルの再選択または再アソシエーション（re-association:リアソシエーションともいう）とみなすこともできることに留意されたい。２つの異なる無線アクセス技術の間でワイヤレス（無線）接続をシームレスに、そして簡単に実現しやすくするシステムおよび方法が必要とされている。
【０００５】
もう１つの問題点として、８０２．１１アクセスデバイスは、インターネットへの専用地上トランクを有する８０２．１１アクセスポイントからのサービスを必要とすることが挙げられる。８０２．１１アクセスポイントが利用不能である時、インターネットサービスは８０２．１１アクセスデバイスに提供されない。８０２．１１アクセスポイントは一般に、ユビキタスなカバレジを提供するようには設置されないので、移動体ユーザがインターネットサービスにアクセスできることが多くなる。また、いくつかの特定の配備状況において８０２．１１アクセスポイントにインターネット接続を提供する専用地上リンクは、設置および保守が高価である。このような場合、地上リンクに代わるものが必要とされる。
【課題を解決するための手段】
【０００６】
８０２．１１アクセス技術（例えば、アソシエーション／再アソシエーションのプロセス）を組み込んだ携帯電話端末が、８０２．１１アクセスデバイスに対する３Ｇ接続性を提供する。本発明によれば、ワイヤレスデバイスが、さまざまなタイプのワイヤレス無線アクセス技術を通じてワイヤレスサービス／接続性を有することができ、それにより、インターネットサービスに対するモビリティ（あちこち移動すること）およびユビキタスなカバレジが可能となる。
【発明を実施するための最良の形態】
【０００７】
ＩＥＥＥ８０２．１１および３Ｇの無線アクセス技術を用いた好ましいシステムに関して好ましい実施形態を説明するが、本発明は、その広義の形態では、限定なしに、他の伝送システムにも適用可能と考えられる。
【０００８】
図２は、ＩＥＥＥ８０２．１１統合端末１３０（以下、端末１３０）を含むシステム１５０を示している。端末１３０は、ＩＥＥＥ８０２．１１アクセスポイント（ＡＰ）／ルータ１３２（以下、ＡＰ１３２）および３Ｇワイヤレス送受信ユニット（ＷＴＲＵ）１３４（以下、ＷＴＲＵ１３４）を含み、これらがインタフェース１３６経由で互いに連結している。端末１３０は、３Ｇエアインタフェース１４０経由で３Ｇ  ＵＴＲＡＮ１３８（以下、ＵＴＲＡＮ１３８）に連結し、ＩＥＥＥ８０２．１１エア（air）インタフェース１４４経由でＩＥＥＥ８０２．１１ＷＬＡＮアクセスデバイス１４２（以下、アクセスデバイス１４２）に連結している。
【０００９】
以下、ワイヤレス送受信ユニット（ＷＴＲＵ）は、ユーザ機器、移動局、固定または移動加入者ユニット、ポケットベル（pager）、またはワイヤレス環境で動作可能な他のいかなるタイプのデバイスも含むが、これらに限定されない。以下で言及する場合、基地局は、基地局、ノードＢ、サイトコントローラ（site controller）、アクセスポイントまたはワイヤレス環境における他のインタフェースデバイスを含むが、これらに限定されない。
【００１０】
基本的に、システム１５０は、２つのエアインタフェース、例えばＷＬＡＮ  ＡＰおよび３Ｇユーザ機器（ＵＥ）を、並列ではなく直列に適用する。これにより統合が簡単になる。というのは、それぞれのエアインタフェースは論理的に独立（すなわち、共通の制御エンティティが不要）であるため、互いに影響を受けない（すなわち、各エアインタフェースは、他方のエアインタフェースが存在しないかのように動作する）からである。例えば、無線アクセス技術どうしの間で（例えば、ＩＥＥＥ８０２．１１から３Ｇへ、またはその逆へ）ハンドオーバの整合（coordinate）は不要である。３Ｇエアインタフェース１４０上のハンドオーバは、ＩＥＥＥ８０２．１１エアインタフェース１４４にとって透過的に扱うことができる。統合されたＡＰ１３２／ＷＴＲＵ１３４の場合、ＷＬＡＮコネクションが確立されると、それによって動的に３Ｇコネクションが確立されたり、物理資源を割り当てたりすることがある。
【００１１】
システム１５０は、３Ｇエアインタフェース１４０経由でアクセスデバイス１４２から３Ｇ携帯電話コネクションへの移行（transition）を行うために、標準のＩＥＥＥ８０２．１１アソシエーション（association）または再アソシエーションプロセスを実施する。再アソシエーションは、ＡＰが、アクティブ（能動的）スキャンまたはパッシブ（受動的）スキャンのプロセス中に認識されるサービスセット識別子（ＳＳＩＤ）によって知られる同一の拡張サービスセット（ＥＳＳ）の一部である場合に用いられる。そうでない場合、異なるＳＳＩＤが認識され、新たなアソシエーションが開始される。アクセスデバイスは、基本サービスセットＩＤ（ＢＳＳＩＤ）（すなわち、ＭＡＣ  ＩＤ）と、ＥＳＳの一部であるアクセスポイントのグループに通常対応するＳＳＩＤとを含むアソシエーション要求（ＡＲ）を生成する。各ＡＰが、そのＡＰに固有のアソシエーションＩＤ（すなわち、論理コネクションＩＤ）を含むアソシエーション応答によって応答する。
【００１２】
アクセスデバイス１４２は、標準のＩＥＥＥ８０２．１１のアクティブスキャン方法またはパッシブスキャン方法によって端末１３０を認識する。パッシブスキャンを用いる場合、アクセスデバイス１４２は、１つまたは複数のＡＰから１つまたは複数のビーコン（beacon）信号を受信する。ビーコンチャネルは、アクセスポイントのＢＳＳＩＤおよびＳＳＩＤのような、特定のタイプのシステム情報を識別する。アクティブスキャンを用いる場合、あるレベルのセキュリティが提供されることにより、ＡＰのＳＳＩＤはビーコンチャネル上で通知されない。アクセスデバイス１４２は、ＡＰの事前設定されたＳＳＩＤを示すプローブ要求を生成する。プローブ要求を受信したＡＰは、その事前設定ＳＳＩＤを有する場合に、プローブ応答によって受信確認の応答を行う。
【００１３】
本発明による端末１３０を動作させるためにはいくつかの代替実施形態がある。一代替実施形態では、動的割当てを実施することにより、標準のＩＥＥＥ８０２．１１ロジック（例えば、アソシエーション、再アソシエーション、ディスアソシエーション（disassociation））を用いて、３Ｇコネクションの確立または解放を行う。別の代替実施形態では、動的に、または永続的に割り当てられた物理リソースを用いて、３Ｇコネクションを前もって（すなわち、連続的に）確立しておく。
【００１４】
以下で詳細に説明するように、移動体ユーザが、インターネットへの専用地上接続のような特定のサービスを提供するＩＥＥＥ８０２．１１ＷＬＡＮカバレジエリアの外部に移動すると、端末１３０がインターネットへのアクセスを与える。アクセスデバイス１４２は、カスタマイズされたソフトウェアやハードウェアを必要とせずに、自動的に端末１３０と再アソシエートする。別法として、アクセスデバイス１４２は、常に端末１３０を使用してもよい。そうすると、１つまたは複数のＩＥＥＥ８０２．１１ＡＰに専用地上インターネット接続を与えることが不要となる。
【００１５】
図３は、本発明の好ましい一実施形態により動作するシステム２００を示している。システム２００は、異なる無線アクセス技術間でシームレスなインターネット接続を実現しやすくするＩＥＥＥ８０２．１１統合端末２２０（以下、端末２２０）を含む。システム２００は、さらに、ＩＥＥＥ８０２．１１ＷＬＡＮアクセスデバイス２０５（以下、アクセスデバイス２０５）、ＩＥＥＥ８０２．１１ＡＰ／ルータ２１０（以下、ＡＰ２１０）、インターネット２１５および３Ｇ  ＵＴＲＡＮ２２５（以下、ＵＴＲＡＮ２２５）を含む。端末２２０は、ＩＥＥＥ８０２．１１ＡＰ／ルータ２３０（以下、ＡＰ２３０）および３Ｇ  ＷＴＲＵ２３５（以下、ＷＴＲＵ２３５）を含み、これらがインタフェース２３８経由で互いに連結している。端末２２０は、３Ｇエアインタフェース２５０経由で３Ｇ  ＵＴＲＡＮ２２５（以下、ＵＴＲＡＮ２２５）に連結し、ＩＥＥＥ８０２．１１エアインタフェース２４５経由でアクセスデバイス２０５に連結している。アクセスデバイス２０５は、最初に、パス２４０経由でＡＰ２１０とアソシエートされる。端末２２０は、（例えばユーザの要求／入力により）アクセスデバイス２０５を手動でオンにしてインターネットアクセス機能を有効にすることによって、またはＩＥＥＥ８０２．１１アクセスデバイスアソシエーション手続きを自動検出することによって、インターネット２１５のような外部ネットワークへの３Ｇエアインタフェースコネクションを確立するために起動される。無権限のアクセスを制御するために、標準のＩＥＥＥ８０２．１１の認証およびデータ暗号化セキュリティ機能が組み込まれてもよい。アクセスデバイス２０５は、ラップトップコンピュータ、携帯情報端末（ＰＤＡ）等であってよい。
【００１６】
３Ｇ携帯電話コネクション（cellular connection)は、ＷＴＲＵ２３５によって開始される。サービスタイプ、パケットドメイン、およびその他のコネクション設定は、事前設定されるか、またはユーザによって手動で要求される。ＷＴＲＵ２３５およびＵＴＲＡＮ２２５は、手動起動または自動起動で、インターネット２１５への通常の３Ｇコネクションを確立する。いったん確立されると、３Ｇ携帯電話コネクションはアクセスデバイス２０５にとって透過的である。アクセスデバイス２０５は、標準のＩＥＥＥ８０２．１１のアクティブスキャン方法またはパッシブスキャン方法によって、端末２２０を認識する。
【００１７】
アクセスデバイス２０５のディスアソシエーション後、または事前設定された無活動タイマ(inactivity timer)のタイムアウト後、３Ｇ携帯電話コネクションは、ＩＥＥＥ８０２．１１アクセスデバイスディスアソシエーション手続きの自動検出、または無活動タイマの自動タイムアウトに応答して、端末２２０によって解放されてもよい。別法として、３Ｇ携帯電話コネクションは、ユーザの介入により、デバイスをオフにしたこと、またはインターネットアクセス機能を無効にしたことに応答して、手動で解放されてもよい。いずれの場合でも、インターネット２１５への３Ｇエアインタフェースコネクションが解放される。
【００１８】
アクセスデバイス２０５は、パス２４５経由で統合端末２２０へのアソシエーションまたは再アソシエーションのいずれかを開始する。端末２２０は、アクセスデバイス２０５を認識し、３Ｇエアインタフェース２５０経由で３Ｇ携帯電話無線コネクションを確立する。
【００１９】
同様のプロセスが、端末２２０から標準のＡＰ２１０へのアソシエーションまたは再アソシエーションのために呼び出される。ＩＥＥＥ８０２．１１エアインタフェース２４５経由での端末２２０とのディスアソシエーション後、または無活動タイマのタイムアウトもしくは同一ＥＳＳ内での再アソシエーション後、３Ｇエアインタフェース２５０経由のＵＴＲＡＮ２２５へのコネクションが解放される。
【００２０】
一実施形態では、端末２２０は、「常時接続」サービス（例えば、ワイヤレスローカルループ（ＷＬＬ））を可能にするため、またはＩＥＥＥ８０２．１１サービスプロバイダと３Ｇ携帯電話サービスプロバイダの間の高速なハンドオーバを容易にするために、ＵＴＲＡＮ２２５への永続的コネクションを確立してもよい。この場合、３Ｇ無線アクセスネットワーク（ＲＡＮ）コネクションが事前に確立される。端末２２０は、連続的なＩＥＥＥ８０２．１１アクセスリンクを与える。アクセスデバイス２０５は、通常のＩＥＥＥ８０２．１１のアクティブ／パッシブスキャン、およびアソシエーション／再アソシエーションプロセスを呼び出す。
【００２１】
この実施形態は、端末２２０とのＩＥＥＥ８０２．１１アソシエーションの前に、またはアクセスデバイス２０５の検出後に、３Ｇ  ＲＡＮユーザデータ無線ベアラが事前確立されるように実施されてもよい。３Ｇ無線リソースは、送信データの存在によって認識される必要に応じて３Ｇ無線ネットワークコントローラ（ＲＮＣ）によって動的に割り当てられるか、または、アクセスデバイスがＡＰにアソシエートされる期間中に静的に割り当てられる。ＩＥＥＥ８０２．１１および３Ｇのカバレジエリアは、隣接するカバレジに対して部分的に重なり合うことがある。別法として、ＩＥＥＥ８０２．１１および３Ｇのカバレジは、物理的に重なりがなくてもよい。カバレジエリア間の距離に制限はない。ＩＥＥＥ８０２．１１および３Ｇのカバレジエリアは、冗長性を提供するために同じ場所に配置されてもよい。一般的に、ＩＥＥＥ８０２．１１サービスエリアは「ホットスポット」（すなわち「アイランド:島」）である。これらのＩＥＥＥ８０２．１１サービスエリア間で、１つまたは複数の３Ｇ携帯電話システムによってサービスが提供される。それぞれの３Ｇサービスエリアは、少なくとも１つのＩＥＥＥ８０２．１１サービスエリアと重なり合う可能性が高い。
【００２２】
図４は、本発明の一実施形態によるいくつかのＩＰデータサービスをルーティングするためのシステム３００を示している。システム３００は、ＩＥＥＥ８０２．１１統合端末３０５を含む。端末３０５は、ＡＰ２３０とともにインターネットプロトコル（ＩＰ）アプリケーションプロセッサ３３０（以下、プロセッサ３３０）を内蔵し、複数のＩＥＥＥ８０２．１１ＷＬＡＮアクセスデバイス３１０、３１５および３Ｇ  ＵＴＲＡＮ３２０（以下、ＵＴＲＡＮ３２０）をサポートすることを除いては、端末２２０と同様である。共通の物理チャネルのセットが、端末３０５をＵＴＲＡＮ３２０に接続する３Ｇエアインタフェース３２５上の伝送を行う。ＩＰデータは、端末３０５内でレイヤ３ＩＰスイッチングを実施するプロセッサ３３０に提供され、それにより、端末３０５内で複数の独立のアクセスデバイスおよび／またはＩＰアプリケーションが同時にサポートされることが可能となる。
【００２３】
システム１５０および２００（図２および図３）には、ＩＰルータ機能は実装されていない。システム３００では、ＡＰ２３０が、外部の８０２．１１アクセスデバイス３１０、３１５へ、または統合端末３０５内部のＩＰアプリケーションへＩＰデータパケットをスイッチングする。機能は、ＡＰ２３０にではなく端末３０５に追加される。例えば、端末３０５は、インターネットサービス（「ＩＰアプリケーション」）を提供する能力を有する３Ｇ移動携帯電話端末であってもよい。これは、１つまたは複数の８０２．１１アクセスデバイスに対してインターネット接続をサポートする場合であっても実現可能である。ＩＰアドレスに基づいて、データは、ＡＰ２３０によって、複数のＩＥＥＥ８０２．１１ＷＬＡＮアクセスデバイス３１０、３１５および端末３０５内部のＩＰアプリケーション３３０との間でルーティングされる。
【００２４】
端末３０５は、一度に複数のアクセスデバイス３１０、３１５（ラップトップコンピュータ、ＰＤＡ等）とアソシエートされてもよい。各アクセスデバイス３１０、３１５のアソシエーションおよびディスアソシエーションは独立のプロセスである。各アクセスデバイス３１０、３１５は、共通または独立の３Ｇ  ＲＡＮコネクション、および／または共通の無線リソースによってサポートされる無線ベアラ（無線通信回線）のいずれを有してもよい。端末３０５内のインターネットプロトコル（ＩＰ）ルータ機能により、複数の独立のＩＰデータストリームが、３Ｇ無線コネクションに割り当てられた共通の物理チャネルのセットによってサポートされることが可能となる。
【００２５】
図５は、「常時接続」チャネル確立手続きを実施するための例示的実施形態の信号フロー図である。これにより、（図２に示した）システム１５０の端末１３０が、ＵＴＲＡＮ１３８およびアクセスデバイス１４２に連結する。端末１３０が有効になると（ステップ５０）、端末１３０とＵＴＲＡＮ１３８の間に３Ｇコネクションが確立される（ステップ５３）。アクセスポイント／３Ｇ統合端末１３０は、アクセスデバイス１４２へのビーコンチャネルを確立する（ステップ５２）。アクセスデバイス１４２は、標準のＩＥＥＥ８０２．１１のアクティブスキャン方法またはパッシブスキャン方法によって、統合端末１３０を認識する（ステップ５１）。オプションとしてユーザの認証（ステップ５４）を実施してもよい。３Ｇコネクション確立手続き（ステップ５３）とともに、またはアソシエーション／再アソシエーション（ステップ５５）とともに、３Ｇ無線ベアラを確立してもよい。物理無線リソースは、無線ベアラ確立後に静的に割り当てられるか、または、トラフィックデータ（ＩＰパケット）の到着後に動的に割り当てられる（ステップ５８）。トラフィックデータが、統合端末１３０経由で、アクセスデバイス１４２とＵＴＲＡＮ１３８の間で送受信される（ステップ５７）。
【００２６】
図６は、一連のイベント（事象）を実施するための例示的実施形態の信号フロー図である。これにより、（図３に示した）システム２００の端末２２０が、ＵＴＲＡＮ２２５およびアクセスデバイス２０５に連結する。端末２２０が有効になると（ステップ６０）、８０２．１１ビーコンチャネルが確立される。アクセスデバイス２０５は、標準のＩＥＥＥ８０２．１１のアクティブスキャン方法またはパッシブスキャン方法によって、８０２．１１アクセスポイント／３Ｇ統合端末２２０を認識する（ステップ６１）。パッシブスキャンを用いる場合、アクセスデバイス２０５は端末２２０からビーコン信号を受信する（ステップ６２）。オプションとしてユーザの認証（ステップ６３）を実施してもよい。統合端末２２０において８０２．１１アソシエーションまたは再アソシエーション手続きを検出すると（ステップ６４）、統合端末２２０は、端末２２０とＵＴＲＡＮ２２５の間に３Ｇコネクションおよび無線ベアラを確立する（ステップ６５）。トラフィックデータが、端末２２０経由で、アクセスデバイス２０５とＵＴＲＡＮ２２５の間で送受信される（ステップ６６）。３Ｇ物理無線リソースは、トラフィックデータ（ＩＰパケット）の到着後に動的に割り当てられるか（ステップ６７）、または無線ベアラ確立後に静的に割り当てられる。
【００２７】
本明細書にいうＡＰ／３Ｇ統合端末は、ＩＥＥＥ８０２．１１ネットワークのＡＰインフラストラクチャトポロジーとみなしてもよいが、ＡＰが関与しない（アクセスポイントを経由しない）ＩＥＥＥ８０２．１１「アドホック（ad Hoc）」ネットワークを確立することも可能である。この場合、アクセスデバイスあるいは「局（ステーション）」が、同様に３Ｇユーザ端末に統合されてもよい。
【００２８】
以上、本発明による初期化方式の好ましい実施例を説明した。本発明について、好ましい実施形態に関して具体的に図示し説明したが、当業者には理解されるように、上記の本発明の範囲から逸脱することなく、形態および細部において本発明に種々の変更をなし得る。
【図面の簡単な説明】
【００２９】
【図１】インターネット接続を提供する従来のデュアルモード移動体システムの高水準ブロック図である。
【図２】本発明によるインターネット接続を提供するシステムの高水準ブロック図である。
【図３】本発明によるインターネット接続を提供する統合デュアルモードシステムの高水準ブロック図である。
【図４】独立のＩＰデータサービスのルーティングを例示するブロック図である。
【図５】図２のシステムによって実施される「常時接続」チャネル確立に対する信号フロー図である。
【図６】図３のシステムによって実施される一連のイベントに対する信号フロー図である。
【符号の説明】
【００３０】
１００  デュアルモード移動端末システム
１０５  デュアルモード移動端末
１１０  インターネット
１１５  ＩＥＥＥ８０２．１１アクセスポイント／ルータ機器
１２０  ３Ｇユニバーサル地上無線アクセスネットワーク（ＵＴＲＡＮ）基地局
１３０  ＩＥＥＥ８０２．１１統合端末
１３２  ＩＥＥＥ８０２．１１アクセスポイント（ＡＰ）／ルータ
１３４  ３Ｇワイヤレス送受信ユニット（ＷＴＲＵ）
１３６  インタフェース
１３８  ３Ｇ  ＵＴＲＡＮ
１４０  ３Ｇエアインタフェース
１４２  ＩＥＥＥ８０２．１１ＷＬＡＮアクセスデバイス
１４４  ＩＥＥＥ８０２．１１エアインタフェース
１５０  システム
２００  システム
２０５  ＩＥＥＥ８０２．１１ＷＬＡＮアクセスデバイス
２１０  ＩＥＥＥ８０２．１１ＡＰ／ルータ
２１５  インターネット
２２０  ＩＥＥＥ８０２．１１統合端末
２２５  ３Ｇ  ＵＴＲＡＮ
２３０  ＩＥＥＥ８０２．１１ＡＰ／ルータ
２３５  ３Ｇ  ＷＴＲＵ
２３８  インタフェース
２４５  ＩＥＥＥ８０２．１１エアインタフェース
２５０  ３Ｇエアインタフェース
３００  システム
３０５  ＩＥＥＥ８０２．１１統合端末
３１０，３１５  ＩＥＥＥ８０２．１１ＷＬＡＮアクセスデバイス
３２０  ３Ｇ  ＵＴＲＡＮ
３３０  インターネットプロトコル（ＩＰ）アプリケーションプロセッサ
【図１】
2006502670.tif 000003
【図２】
2006502670.tif 000004
【図３】
2006502670.tif 000005
【図４】
2006502670.tif 000006
【図５】
2006502670.tif 000007
【図６】
2006502670.tif 000008
【国際調査報告】
2006502670.tif 000009